(57)【要約】【課題】ケーブルエンドをドラムに係合させるときの誤組付けを生じにくくすることで組み付け作業性を向上させる。【解決手段】ドラム４３は、ケーブルエンド４７が収容される収容部５１と、ドラム４３の外周に設けられ、上昇側ケーブル３３が巻き付けられるワイヤ溝５３と、収容部５１から延出されたワイヤ２２をワイヤ溝５３に向かって導出する導出部５５とを有している。収容部５１は、収容部５１へケーブルエンド４７が挿入された際にケーブルエンド４７と当接可能であり、収容部５１の収容空間５１ｂ内でケーブルエンド４７が収容されるようにケーブルエンド４７の挿入量を制限する底部５１ａを有している。【選択図】図６
2016156256.tif 000002
【特許請求の範囲】
【請求項１】
ワイヤと、駆動源の駆動力を前記ワイヤを介して駆動対象に伝達するドラムとを備え、前記ドラムは駆動源によって駆動されることで前記ワイヤの巻き取りと送り出しを行う、駆動力の伝達機構であって、
前記ワイヤの一端には端末部材が設けられ、
前記ドラムは、
前記端末部材が収容される収容部と、
前記ドラムの外周に設けられ、前記ワイヤが巻き付けられるワイヤ溝と、
前記収容部から延出された前記ワイヤを前記ワイヤ溝に向かって導出する導出部とを有し、
前記収容部は、
前記収容部へ前記端末部材が挿入された際に前記端末部材と当接可能であり、前記収容部の収容空間内で前記端末部材が収容されるように前記端末部材の挿入量を制限する底部を有している、
駆動力の伝達機構。
【請求項２】
ワイヤと、駆動源の駆動力を前記ワイヤを介して駆動対象に伝達するドラムとを備え、前記ドラムは駆動源によって駆動されることで前記ワイヤの巻き取りと送り出しを行う、駆動力の伝達機構であって、
前記ワイヤの一端には端末部材が設けられ、
前記ドラムは、
前記端末部材が収容される収容部と、
前記ドラムの外周に設けられ、前記ワイヤが巻き付けられるワイヤ溝と、
前記収容部から延出された前記ワイヤを前記ワイヤ溝に向かって導出する導出部とを有し、
前記収容部は、
前記端末部材から延出された前記ワイヤの基端部を前記導出部へ案内する案内部を有し、
前記案内部は、前記収容部へ前記端末部材が挿入された際に、前記端末部材の挿入方向と交差する方向へ前記ワイヤを案内可能とされている、
駆動力の伝達機構。
【請求項３】
ワイヤと、駆動源の駆動力を前記ワイヤを介して駆動対象に伝達するドラムとを備え、前記ドラムは駆動源によって駆動されることで前記ワイヤの巻き取りと送り出しを行う、駆動力の伝達機構であって、
前記ワイヤの一端には端末部材が設けられ、
前記ドラムは、
前記端末部材が収容される収容部と、
前記ドラムの外周に設けられ、前記ワイヤが巻き付けられるワイヤ溝と、
前記収容部から延出された前記ワイヤを前記ワイヤ溝に向かって導出する導出部とを有し、
前記収容部は、前記端末部材が挿入される開口を有し、
前記端末部材は規制部を有し、
前記端末部材が所定方向から前記開口に挿入された際に前記規制部が前記開口の縁に当接することで、前記端末部材の前記収容部への挿入が規制される、
駆動力の伝達機構。
【請求項４】
前記端末部材の先端部が、曲面を有している、請求項１〜３のいずれかに記載の駆動力の伝達機構。
【請求項５】
請求項１〜４のいずれかに記載の駆動力伝達機構と、
前記ワイヤに固定され、車両の窓に装着されたキャリアプレートと、
を備えたウインドレギュレータ。
【発明の詳細な説明】
【技術分野】
【０００１】
本発明は、駆動力の伝達機構及びウインドレギュレータに関連する。
【背景技術】
【０００２】
自動車のドアに装着される窓ガラスの昇降には、ウインドレギュレータが使用されている。ウインドレギュレータは、窓ガラスを保持するキャリアプレートと、キャリアプレートを案内するガイドレールと、キャリアプレートを昇降するための昇降用ケーブルとを備える。駆動モータがドラムを回転駆動することにより、昇降用ケーブルを巻き取り・繰り出し、それによりキャリアプレートを上昇又は下降させることで窓ガラスを昇降させる。
昇降用ケーブルは、上昇側ケーブルと、下降側ケーブルとを有している。上昇側ケーブル及び下降側ケーブルは、各々、ウインドレギュレータの下端においてドラムに巻き掛けられており、ケーブルエンドがドラムのエンド受け部に嵌め込んで係合されている（特許文献１を参照）。
【先行技術文献】
【特許文献】
【０００３】
【特許文献１】特開２０１４−１７７８３６号公報
【発明の概要】
【発明が解決しようとする課題】
【０００４】
ドラムには、ケーブルエンドを固定するためにエンド受け部が設けられているのが通常であり、ケーブルエンドをドラムのエンド受け部に係合させるときに、両部材の形状によっては、ケーブルエンドがエンド受け部に適切に収納される前に、ケーブルがドラムに巻き掛け方向とは異なる向きの状態で、ケーブルエンドがエンド受け部に引っ掛かる不具合が生じることがある。または、ケーブルエンドがエンド受け部内の凹部に、当該凹部の開口と一致してしまうような角度で嵌り込んでしまって、不適切な状態で嵌まってしまう不具合が生じることがある。
【０００５】
本発明の課題は、ケーブルエンドをドラムに係合させるときの誤組付けを生じにくくすることで組み付け作業性を向上することにある。
【課題を解決するための手段】
【０００６】
以下に、課題を解決するための手段として複数の態様を説明する。これら態様は、必要に応じて任意に組み合せることができる。
【０００７】
本発明の一見地に係る駆動力の伝達機構は、ワイヤと、駆動源の駆動力をワイヤを介して駆動対象に伝達するドラムとを備えている。ドラムは駆動源によって駆動されることでワイヤの巻き取りと送り出しを行う。
ワイヤの一端には端末部材が設けられている。
ドラムは、端末部材が収容される収容部と、ドラムの外周に設けられ、ワイヤが巻き付けられるワイヤ溝と、収容部から延出されたワイヤをワイヤ溝に向かって導出する導出部とを有している。
収容部は、収容部へ端末部材が挿入された際に端末部材と当接可能で、且つ収容部の収容空間内で端末部材が収容されるように端末部材の挿入量を制限する底部を有している。
【０００８】
この駆動力の伝達機構では、ワイヤをドラムに取り付けるときには、端末部材をドラムの収容部に収容し、さらに、ワイヤをワイヤ溝に巻き付ける。このワイヤ巻き付け動作の最初の段階で、収容部から延出されたワイヤは、導出部によってワイヤ溝に向かって導出される。
また、端末部材をドラムの収容部に挿入するときに、端末部材は、収容部の底部に当接し、底部によって挿入量が制限されながら、収容部の収容空間内で収容される。したがって、端末部材がドラムの収容部に奥深く挿入されたり隙間に入り込んだりするといった不具合が生じにくい。
【０００９】
本発明の他の見地に係る駆動力の伝達機構は、ワイヤと、駆動源の駆動力をワイヤを介して駆動対象に伝達するドラムとを備えている。ドラムは駆動源によって駆動されることでワイヤの巻き取りと送り出しを行う。
ワイヤの一端には端末部材が設けられている。
ドラムは、端末部材が収容される収容部と、ドラムの外周に設けられ、ワイヤが巻き付けられるワイヤ溝と、収容部から延出されたワイヤをワイヤ溝に向かって導出する導出部とを有している。
収容部は、端末部材から延出されたワイヤの基端部を導出部へ案内する案内部を有している。
案内部は、収容部へ端末部材が挿入された際に、端末部材の挿入方向と交差する方向へワイヤを案内可能とされている。
【００１０】
この駆動力の伝達機構では、ワイヤをドラムに取り付けるときには、端末部材をドラムの収容部に収容し、さらに、ワイヤをワイヤ溝に巻き付ける。このワイヤ巻き付け動作の最初の段階で、収容部から延出されたワイヤは、導出部によってワイヤ溝に向かって導出される。
また、ワイヤをワイヤ溝に向かって導出するときに、案内部がワイヤの基端部を導出部に案内する。案内部は、収容部へ端末部材が挿入された状態で、端末部材の挿入方向と交差する方向へワイヤを案内可能である。したがって、収容部に対して端末部材及びワイヤの基端部を立てた状態で端末部材を収容部に挿入し、次にワイヤの基端部を斜めに倒しながらワイヤを案内部によって導出部まで案内できる。したがって、ワイヤの基端部が収容部に引っ掛かって導出部まで導出されないといった不具合が生じにくい。
【００１１】
本発明のさらに他の見地に係る駆動力の伝達機構は、ワイヤと、駆動源の駆動力をワイヤを介して駆動対象に伝達するドラムとを備えている。ドラムは駆動源によって駆動されることでワイヤの巻き取りと送り出しを行う。
ワイヤの一端には端末部材が設けられている。
ドラムは、端末部材が収容される収容部と、ドラムの外周に設けられ、ワイヤが巻き付けられるワイヤ溝と、収容部から延出されたワイヤをワイヤ溝に向かって導出する導出部とを有している。
収容部は、端末部材が挿入される開口を有している。
端末部材は規制部を有している。端末部材が所定方向から開口に挿入された際に規制部が開口の縁に当接することで、端末部材の収容部への挿入が規制される。
【００１２】
この駆動力の伝達機構では、ワイヤをドラムに取り付けるときには、端末部材をドラムの収容部に収容し、さらに、ワイヤをワイヤ溝に巻き付ける。このワイヤ巻き付け時に、収容部から延出されたワイヤは、導出部によってワイヤ溝に向かって導出される。
また、端末部材が所定方向からドラムの収容部に挿入されようとすると、端末部材の規制部が収容部の開口の縁に当接することで、端末部材が収容部へ挿入されることが規制される。したがって、端末部材がドラムの収容部に不適切な姿勢で挿入されるといった不具合が生じにくい。
【００１３】
端末部材の先端部が、曲面を有していてもよい。この場合、端末部材を収容部に挿入する動作がスムーズになる。
【００１４】
本発明のさらに他の見地に係るウインドレギュレータは、上記の駆動力の伝達機構と、ワイヤに固定され、車両の窓に装着されたキャリアプレートとを備えている。
【発明の効果】
【００１５】
本発明に係る駆動力の伝達機構及びウインドレギュレータでは、ケーブルエンドをドラムに係合させるときの誤組付けが生じにくくなることで組み付け作業性が向上する。
【図面の簡単な説明】
【００１６】
【図１】本発明の一実施形態としてのウインドレギュレータの正面図。
【図２】図１のウインドレギュレータのドラムの平面図。
【図３】図２のドラムの斜視図。
【図４】図２のドラムの収容部の部分拡大斜視図。
【図５】図２のドラムの収容部及びケーブルエンドの断面図。
【図６】図２のドラムの収容部及びケーブルエンドの断面図であり、ケーブルエンドの挿入及びワイヤの装着を説明するための図。
【図７】図２のドラムの収容部の平面図であり、ケーブルエンド挿入動作の初期状態を示す図。
【図８】図２のドラムの収容部の平面図であり、ケーブルエンド挿入後のワイヤの巻き掛け状態を示す図。
【図９】図２のドラムの収容部の平面図であり、ケーブルエンドを所定角度から収容部に挿入しようとしている状態を示す図。
【発明を実施するための形態】
【００１７】
１．第１実施形態
（１）駆動力伝達機構が採用されたウインドレギュレータ
本発明の一実施形態に係る駆動力の伝達機構は、ワイヤと、駆動源の駆動力をワイヤを介して駆動対象に伝達するドラムとを備えている。
具体例としては、駆動力の伝達機構は、図１に示すウインドレギュレータ１のドラム及びワイヤから構成されている。図１は、ウインドレギュレータの一実施形態を示す正面図である。
駆動対象は、駆動源の駆動力がワイヤを介して伝達されるものであり、ウインドレギュレータ以外に、パワースライドドア、開閉体駆動装置がある。ウインドレギュレータ１は、車両のドアパネル（図示せず）に昇降可能に支持される窓ガラス２０を昇降移動させる。ウインドレギュレータ１は、キャリアプレート３２を窓ガラス２０の昇降方向に案内するガイドレール３１を有している。ガイドレール３１は、概ね車両上下方向に延び、具体的にはわずかに斜めに傾斜して延びるようにドアパネルに取付けられる。ガイドレール３１は、例えば、ステンレススチール、アルミニウム合金、その他の硬質の材料で構成されている。
【００１８】
ウインドレギュレータ１は、キャリアプレート３２を有している。キャリアプレート３２は、窓ガラス２０の下端部を保持し、ガイドレール３１と係合して窓ガラス２０の昇降方向に摺動案内される。キャリアプレート３２は、ガイドレール３１の縁に沿って昇降する。また、キャリアプレート３２には、後述する上昇側ケーブル３３及び下降側ケーブル３４が接続されている。
ウインドレギュレータ１は、プーリ３７を有し、プーリ３７は、ガイドレール３１の上端部に設けられている。プーリ３７は、円形の部材であり、ガイドレール３１の上端部に回転自在に支持されている。
【００１９】
ウインドレギュレータ１は、駆動部３５を有し、駆動部３５は、ガイドレール３１の下端に設けられており、上昇側ケーブル３３及び下降側ケーブル３４の巻き取り及び繰り出しを行う。駆動部３５は、駆動源であり、ドラムハウジング４１と、ドラム４３（図２及び図３を参照）と、駆動モータ４５とを有している。ドラムハウジング４１は、ガイドレール３１の下端部に取り付けられている。ドラム４３は、ドラムハウジング４１に回転自在に支持されており、上昇側ケーブル３３及び下降側ケーブル３４の他端が連結されており、回転することにより上昇側ケーブル３３及び下降側ケーブル３４の巻き取り及び繰り出しを行う。駆動モータ４５は、ドラムハウジング４１に取り付けられ、ドラム４３を正逆両方向に回転駆動することで、キャリアプレート３２がガイドレール３１に沿って昇降する。
【００２０】
ウインドレギュレータ１は、上昇側ケーブル３３を有している。上昇側ケーブル３３は、キャリアプレート３２を上方に牽引するものである。上昇側ケーブル３３は、一端がキャリアプレート３２に連結され、プーリ３７に掛け回されて、他端がドラム４３に連結されている。
ウインドレギュレータ１は、下降側ケーブル３４を有している。下降側ケーブル３４は、キャリアプレート３２を下方に牽引するものである。下降側ケーブル３４は、一端がキャリアプレート３２に連結され、他端がドラム４３に連結されている。上昇側ケーブル３３及び下降側ケーブル３４には、公知のケーブルを用いることができる。
【００２１】
駆動モータ４５は、ドラム４３を一方に回転駆動することにより、上昇側ケーブル３３をドラム４３に巻き取りながら下降側ケーブル３４をドラム４３より送り出して窓ガラス２０を上昇させ、又、他方に回転駆動することにより、上昇側ケーブル３３をドラム４３より送り出しながら下降側ケーブル３４をドラム４３に巻き取って窓ガラス２０を下降させる。
【００２２】
（２）駆動力の伝達機構
ワイヤは、一端に端末部材が設けられている。ドラムは、前記端末部材が収容される収容部と、ドラムの外周に設けられ、ワイヤが巻き付けられるワイヤ溝と、端末部材から延出されたワイヤをワイヤ溝に向かって導出する導出部とを有している。収容部は、少なくともワイヤに係合して力が伝達される部分を有している。
この実施形態では、ドラム４３（ドラムの一例）は、駆動モータ４５（駆動源の一例）によって駆動されることで上昇側ケーブル３３（ワイヤの一例）の巻き取りと送り出しを行う。上昇側ケーブル３３の一端にはケーブルエンド４７（端末部材の一例）が設けられている。なお、駆動源は、駆動対象を駆動するものであり、少なくとも駆動対象を駆動可能なように連結されていれば良く、例えば手動であってもよい。
【００２３】
図２及び図３に示すように、ドラム４３は、ケーブルエンド４７が収容される収容部５１（収容部の一例）と、ドラム４３の外周に設けられ、上昇側ケーブル３３が巻き付けられるワイヤ溝５３（ワイヤ溝の一例）と、収容部５１から延出された上昇側ケーブル３３をワイヤ溝５３に向かって導出する導出部５５（導出部の一例）とを有している。
収容部５１は、図２に示すように、ドラム４３の上面４３ａに形成された凹部であって、上面４３ａの外周縁近傍に設けられている。収容部５１は、ケーブルエンド４７をドラム４３外側から収容部５１内に収容するための開口５１ｄを有している。開口５１ｄは、ケーブルエンド４７が挿入される挿入部（実施例では概ね円形状）と、そこから導出部５５の開口に向かって延びる幅が細い延出部とを有している。
ドラム４３は、下面４３ｂと、ワイヤ溝５３が形成された周面４３ｃとを有している。
【００２４】
導出部５５は、ドラム４３の上面４３ａに形成された溝部であって、上面４３ａに開口を有し、収容部５１からワイヤ溝５３へ直線状に延びている。導出部５５は、上側に開いている。導出部５５の幅は、上昇側ケーブル３３が導出可能な幅を有している。導出部５５は、ドラム４３の外周付近で湾曲してワイヤ溝５３と接続するように延びている。導出部５５の底部は、図６に示すように、収容部５１から斜め上側に延びている。
導出部５５に連続するワイヤ溝５３の導入部に対応する位置には、上昇側ケーブル３３の上側を支持する押さえ部５９が形成されている。
【００２５】
収容部は、収容部へ端末部材が挿入された際に端末部材と当接可能であり、収容部の収容空間内で端末部材が収容されるように端末部材の挿入量を制限する底部を有している。具体的には、図４〜図６に示すように、収容部５１は、底部５１ａ（底部の一例）を有している。底部５１ａは、収容部５１へケーブルエンド４７が挿入された際にケーブルエンド４７と当接可能である。底部５１ａは、収容部５１の収容空間５１ｂ（収容空間の一例）内でケーブルエンド４７が収容されるようにケーブルエンド４７の挿入量を制限する。収容部５１は、ケーブルエンド４７が上方向から、ケーブルエンド４７が所定の向きのときに挿入可能な形状を有している。また、収容部５１は、内部でケーブルエンド４７が、ケーブルエンド４７から導出するケーブルが導出部５５に挿入されるように、係合位置へ移動可能な形状を有している。
より具体的には、図６及び図７に示すように、ケーブルエンド４７を収容部５１内に上面４３ａに直交する姿勢のまま挿入した場合、収容部５１において、ケーブルエンド４７は、その先端が底部５１ａに当接し、ケーブルエンド４７が底部５１ａと当接したまま、ケーブルが導出部５５へ挿入されるように回転する。底部５１ａは、この実施形態では、開口５１ｄの挿入部に対応する概ね円形状部分を有しており、さらにそこから導出部５５側に延びる延長部を有している。なお、この実施形態では延長部の幅方向両側にはスリットが形成されているが、底部は全面的に形成されていてもよい。
【００２６】
収容部は、端末部材から延出されたワイヤの基端部を導出部へ案内する案内部を有している。案内部は、収容部へ端末部材が挿入された際に、ワイヤが引っ掛からないように導出部へと案内可能とされている。端末部材が不適切な状態で収容部に嵌まり込まないように、端末部材を所定の方向の向きとして収容部に収容する場合に、ケーブルよりも端末部材を先に収容部に挿入することが好ましい。このとき収容部の開口から収容部に端末部材が挿入されるので、ケーブルは収容部の開口から外に飛び出した状態となっている。そのため、端末部材を不適切な状態で収容部に嵌まり込まないよう収容した際に、ケーブルがドラムの上面に引っ掛からずに導出部に挿入されることが好ましい。
具体的には、図４に示すように、収容部５１は、ケーブルエンド４７から延出された上昇側ケーブル３３の基端部３３ａを導出部５５へ案内する案内部５１ｃを有している。案内部５１ｃは、収容部５１へケーブルエンド４７が挿入された際に、上昇側ケーブル３３が引っ掛からないように導出部５５へと案内可能とされている。
より具体的には、案内部５１ｃは、収容部５１の開口５１ｄにおいて導出部５５につながる部分の両側に形成された傾斜状縁部分である。案内部５１ｃは、平面視において、導出部５５の両側から、収容部５１に向かってそれぞれ斜め外方に広がるように延びている。これにより、図６及び図７に示すように、ケーブルエンド４７を収容部５１内に挿入してから上昇側ケーブル３３の基端部３３ａを導出部５５に向けて斜めに倒していくと、基端部３３ａは案内部５１ｃによって導出部５５に向かって案内される。ケーブルエンド４７は、基端部３５ａが導出部５５に挿入される際に、底部５１ａに当接しながら姿勢を変更して、ケーブルエンド４７の基端部３５ａ側の端部がケーブルエンド係止部５１ｆと当接して収容部５１と係合する。このとき、ケーブルエンド４７の先端部４７ａが曲面形状であるあるので、ケーブルエンド４７が底部に引っかかりにくく、つまりスムーズに回転しやすく、ケーブルエンド４７の組み付け作業性が向上し、ケーブルエンド４７の形状が異方性を有するので開口５１ｄからの挿入方向の規制もすることができる。
【００２７】
上昇側ケーブル３３がワイヤ溝５３側に引っ張られると、ケーブルエンド４７は導出部５５側に移動して、ケーブルエンド係止部５１ｆとケーブルエンド４７との係合位置の上方に設けられた天板部５１ｅの下方に潜り込む。これにより、図６及び図８に示すように、ケーブルエンド４７が収容部５１から上方に外れなくなる。また、ケーブルエンド４７の端面は、収容部５１のケーブルエンド係止部５１ｆに当接した状態になる。
天板部５１ｅは、案内部５１ｃの近傍部分であるが、ケーブルが導出部５５に挿入された際に、収容部５１から抜け出るのを抑制するために制限部として機能するように設けられればよい。天板部５１ｅは、図６に示すように、ケーブルエンド４７の先端部４７ａが密着するような形状を有している。
ケーブルエンド係止部５１ｆは、図６に示すように、収容部５１において導出部５５と反対側を向く平坦な面である。
【００２８】
収容部は、端末部材が挿入される開口を有している。端末部材は規制部を有している。端末部材が所定方向から開口に挿入された際に規制部が開口の縁に当接することで、端末部材の収容部への挿入が規制される。
具体的には、図４〜図６に示すように、収容部５１は、前述の通り、ケーブルエンド４７が挿入される開口５１ｄを有している。ケーブルエンド４７は、規制部４７ｃを有している。ケーブルエンド４７が所定方向から開口５１ｄに挿入された際に規制部４７ｃが開口５１ｄの縁に当接することで、ケーブルエンド４７の収容部５１への挿入が規制される。
【００２９】
具体的には、ケーブルエンド４７の規制部４７ｃは、ケーブルエンド４７の円柱部のケーブル側端部の外周部である。図９に示すように、上昇側ケーブル３３の基端部３３ａの軸方向を上面４３ａに平行な状態にしたままケーブルエンド４７を収容部５１に挿入しようとすれば、規制部４７ｃが開口５１ｄの縁（具体的には、天板部５１ｅ）に当接して、そのためケーブルエンド４７を収容部５１に挿入できず、不適切な状態で嵌まってしまうことが抑制される。
端末部材の先端部が、曲面を有している。具体的には、ケーブルエンド４７の先端部４７ａが曲面を有している。この場合、ケーブルエンド４７を収容部５１に挿入する動作がスムーズになる。ケーブルエンド４７は、上昇側ケーブル３３の基端部３３ａが延出する部分に平坦な座面４７ｂを有している。座面４７ｂは、ケーブルエンド係止部５１ｆに当接する。なお、先端部４７ａの先端面は平面で、ケーブルエンド４７が円柱状であってもよい。
【００３０】
（３）ケーブルエンド取り付け動作
この駆動力の伝達機構では、ワイヤをドラムに取り付けるときには、端末部材をドラムの収容部に収容し、さらに、ワイヤをワイヤ溝に巻き付ける。このワイヤ巻き付け動作の最初の段階で時に、収容部から延出されたワイヤは、導出部によってワイヤ溝に向かって導出される。具体的には、上昇側ケーブル３３をドラム４３に取り付けるときには、ケーブルエンド４７をドラム４３の収容部５１に収容し、上昇側ケーブル３３を導出部に向けて引くことにより収容部５１から延出された上昇側ケーブル３３は、導出部５５によってワイヤ溝５３に向かって導出される。
【００３１】
上昇側ケーブル３３をその軸方向に移動させること、ケーブルエンド４７の座面４７ｂがケーブルエンド係止部５１ｆに当接する。これにより、ケーブルエンド４７は、上昇側ケーブル３３の軸方向に係止される。また、上昇側ケーブル３３の基端部３３ａは、導出部５５にガイドされる。さらに、上昇側ケーブル３３をワイヤ溝５３に巻き付ける。
上記組み付け動作中において、ケーブルエンド４７をドラム４３の収容部５１に挿入するときに、ケーブルエンド４７は、図６に示すように、収容部５１の底部５１ａに当接し、底部５１ａによって挿入量が制限されながら、収容部５１の収容空間５１ｂ内で収容される。したがって、ケーブルエンド４７がドラム４３の収容部５１に奥深く挿入されたり隙間に入り込んだりするといった不具合が生じにくい。
【００３２】
上記組み付け動作中において、上昇側ケーブル３３をワイヤ溝５３に向かって導出するときに、案内部５１ｃが上昇側ケーブル３３の基端部３３ａを導出部５５に案内する。案内部５１ｃは、収容部５１へケーブルエンド４７が挿入された状態で、ケーブルエンド４７の挿入方向と交差する方向へ上昇側ケーブル３３を案内可能である。したがって、収容部５１に対してケーブルエンド４７及び上昇側ケーブル３３の基端部３３ａを、ドラム４３の軸方向と平行にした状態でケーブルエンド４７を収容部５１に挿入し、次に上昇側ケーブル３３の基端部３３ａを斜めに倒しながら上昇側ケーブル３３を案内部５１ｃによって導出部５５まで案内できる。したがって、上昇側ケーブル３３の基端部３３ａが収容部５１に引っ掛かって導出部５５まで導出されないという不具合が生じにくい。
【００３３】
上記組み付け動作中において、図９に示すように、ケーブルエンド４７が所定方向から開口５１ｄに挿入された際に規制部４７ｃが開口５１ｄの縁に当接することで、ケーブルエンド４７の収容部５１への挿入が規制される。したがって、ケーブルエンド４７がドラム４３の収容部５１に不適切な姿勢で挿入されるといった不具合が生じにくい。
【００３４】
２．他の実施形態
以上、本発明の一実施形態について説明したが、本発明は上記実施形態に限定されるものではなく、発明の要旨を逸脱しない範囲で種々の変更が可能である。特に、本明細書に書かれた複数の変形例は必要に応じて任意に組み合せ可能である。
上記実施形態では、上昇側ケーブルを例として説明したが、下降側ケーブルにも本発明を適用できる。
【００３５】
上記実施形態では、以下の３つの構成ａ）〜ｃ）が組み合わされて用いられていた。
ａ）収容部へ端末部材が挿入された際に端末部材と当接可能であり、収容部の収容空間内で端末部材が収容されるように端末部材の挿入量を制限する底部
ｂ）収容部へ端末部材が挿入された際に、端末部材の挿入方向と交差する方向へワイヤを案内可能とされている案内部
ｃ）端末部材が所定方向から開口に挿入された際に開口の縁に当接することで、端末部材の収容部への挿入が規制される規制部
【００３６】
しかし、これら３つの構成は必ずしも組み合わされる必要はない。したがって、以下の実施形態が可能である。
ａ）底部のみが採用された実施形態
ｂ）案内部のみが採用された実施形態
ｃ）規制部のみが採用された実施形態
ａ）底部とｂ）案内部のみが採用された実施形態
ｂ）案内部とｃ）規制部のみが採用された実施形態
ａ）底部とｃ）規制部のみが採用された実施形態
【産業上の利用可能性】
【００３７】
本発明は、駆動力の伝達機構及びウインドレギュレータに広く適用できる。
【符号の説明】
【００３８】
１      ：ウインドレギュレータ
３３    ：上昇側ケーブル
３３ａ  ：基端部
４３    ：ドラム
４３ａ  ：上面
４７    ：ケーブルエンド
４７ａ  ：先端部
４７ｂ  ：座面
４７ｃ  ：規制部
５１    ：収容部
５１ａ  ：底部
５１ｂ  ：収容空間
５１ｃ  ：案内部
５１ｄ  ：開口
５１ｅ  ：天板部
５１ｆ  ：ケーブルエンド係止部
５３    ：ワイヤ溝
５５    ：導出部
【図１】
2016156256.tif 000003
【図２】
2016156256.tif 000004
【図３】
2016156256.tif 000005
【図４】
2016156256.tif 000006
【図５】
2016156256.tif 000007
【図６】
2016156256.tif 000008
【図７】
2016156256.tif 000009
【図８】
2016156256.tif 000010
【図９】
2016156256.tif 000011